(57)【要約】【課題】  建物が不同沈下した際に、不同沈下した建物を修正するための建物の不同沈下修正工法を提供する。【解決手段】  地下室のスラブ下部の複数箇所に水の注入口が設けられた中空状のマットを敷くと共に、送水管を注入口まで配管し、建物の不同沈下に対応して不同沈下した箇所の中空状のマットに水を注入し、水の圧力を利用して建物の不同沈下を修正した事を特徴とする浮力を利用した建物の不同沈下修正工法。【選択図】図１
2008008127.tif 000002
【特許請求の範囲】
【請求項１】
地下室のスラブ下部の複数箇所に水の注入口が設けられた中空状のマットを敷くと共に、送水管を注入口まで配管し、建物の不同沈下に対応してマットに水を注入し、建物の不同沈下を修正した事を特徴とする浮力を利用した建物の不同沈下修正工法。
【請求項２】
地下室のスラブ下部の複数箇所に凹状に構成した防水シートを敷き、その防水シートの内側を砂で満たすと共に、凹部上端をスラブに埋設し、送水管を防水シートの内側まで配管すると共に、建物の不同沈下に対応して防水シートに水を注入し、建物の不同沈下を修正した事を特徴とする浮力を利用した建物の不同沈下修正工法。
【請求項３】
非透水層の地盤において、地下室のスラブ下部の複数箇所に砂場を設け、送水管をその砂場の内部まで配管すると共に、建物の不同沈下に対応して非透水層に囲まれた砂場に水を注入し、建物の不同沈下を修正した事を特徴とする浮力を利用した建物の不同沈下修正工法。
【請求項４】
2008008127.tif 000007
れか一つに記載の浮力を利用した建物の不同沈下修正工法。
【請求項５】
耐圧基礎の下部の複数箇所に水の注入口が設けられた中空状のマットを敷くと共に、送水管を注入口まで配管し、建物の不同沈下に対応してマットに水を注入し、建物の不同沈下を修正した事を特徴とする浮力を利用した建物の不同沈下修正工法。
【請求項６】
2008008127.tif 000008
用した建物の不同沈下修正工法。
【請求項７】
マットの内部に砂を詰めた事を特徴とする請求項１又は５に記載の浮力を利用した建物の不同沈下修正工法。
【発明の詳細な説明】
【技術分野】
【０００１】  この発明は、不同沈下した地下室付の建物を修正するための浮力を利用した建物の不同沈下修正工法に関するものである。
【背景技術】
【０００２】  従来、建物を建築するためには、まず最初に建てる土地の地盤調査をし、地耐力を計算した後、基礎や杭を設計します。つまり建物の重さより地耐力が必ず大きくなけれは建築確認がとれません。
【発明の開示】
【発明が解決しようとする課題】
【０００３】  しかしながら、建物に対する必要地耐力に関しては、建物の重さプラス余裕が必要となります。このためプラス余裕をどの程度にするか、しばしば問題になります。【０００４】  もちろん堅固な地盤であれば問題はありませんが、建物の重さに対して地耐力に余裕がない場合は地盤改良や鋼管杭等の工事が必要になります。さらに、新造成地や土質不良地等の地盤においては、部分的に地耐力の低い場所が存在するため、不同沈下が発生しやすいと云う問題をかかえていた。【０００５】  このように、地耐力を十分に考慮しで建物を建築した場合であっても、経年変化により不同沈下が発生して建物が傾くと云う問題が発生していた。【０００６】  従来から、このように建物が傾いた場合は、不同沈下した建物の直近に、新しい基礎を構築しその基礎にジャッキを据付け、建物をジャッキアップさせる方法や、不同沈下した建物の直近に、鋼管杭を支持地盤まで打ち込むと共に、その鋼管杭の上部にジャッキを据付け、建物をジャッキアップさせる方法等のアンダーピニング工法が知られているが、いずれの方法も、多大な費用と長期間の補修工事が必要となる等の問題が発生していた。【０００７】  そこで、この発明は建物が不同沈下した場合の補修工法として、従来から行われてきたアンダーピニング工法に頼ることなく、建築初期に地下室のスラブ下部の複数箇所に水の注入口が設けられた中空状のマットを敷き、送水管を注入口まで配管し、建物の不同沈下に対応して注入口よりマットに水を注入し、水の浮力を利用して建物の不同沈下を修正すると共に、工期を短縮し、コストを大幅に低減できる、浮力を利用した建物の不同沈下修正工法を提供することを課題としている。
【課題を解決するための手段】
【０００８】  かかる課題を達成するために、請求項１に記載の発明は、地下室のスラブ下部の複数箇所に水の注入口が設けられた中空状のマットを敷くと共に、送水管を注入口まで配管し、建物の不同沈下に対応してマットに水を注入し、建物の不同沈下を修正した事を特徴とする。【０００９】  請求項２に記載の発明は、地下室のスラブ下部の複数箇所に凹状に構成した防水シートを敷き、その防水シートの内側を砂で満たすと共に、凹部上端をスラブに埋設し、送水管を防水シートの内側まで配管すると共に、建物の不同沈下に対応して防水シートに水を注入し、建物の不同沈下を修正した事を特徴とする。【００１０】  請求項３に記載の発明は、非透水層の地盤において、地下室のスラブ下部の複数箇所に砂場を設け、送水管をその砂場の内部まで配管すると共に、建物の不同沈下に対応して非透水層に囲まれた砂場に水を注入し、建物の不同沈下を修正した事を特徴とする。【００１１】  請求項４に記載の発明は、請求項１及至３のいずれか一つに記載の工法に加え、地下室
2008008127.tif 000003
【００１２】  請求項５に記載の発明は、耐圧基礎の下部の複数箇所に水の注入口が設けられた中空状のマットを敷くと共に、送水管を注入口まで配管し、建物の不同沈下に対応してマットに水を注入し、建物の不同沈下を修正した事を特徴とする。【００１３】
2008008127.tif 000004
形状に構成した事を特徴とする【００１４】  請求項７に記載の発明は、請求項１叉は５記載の工法に加え、マットの内部に砂を詰めた事を特徴とする。
【発明の効果】
【００１５】  請求項１に記載の発明によれば、地下室のスラブ下部の複数箇所に水の注入口が設けられた中空状のマットを敷くと共に、送水管を注入口まで配管し、建物の不同沈下に対応してマットに水を注入し、建物の不同沈下を修正したため、従来のように、不同沈下した基礎の直近に鋼管杭を支持層まで打ち込み、上部をコンクリートで固めた上にジャッキを据付け、建物のジャッキアップを行うと云うようなアンダーピニング工法が不要となると共に、工期の短縮につながり、大幅にコストの低減を図ることができる。【００１６】  請求項２に記載の発明によれば、地下室のスラブ下部の複数箇所に凹状に構成した防水シートを敷き、その防水シートの内側を砂で満たすと共に、凹部上端をスラブに埋設し、送水管を防水シートの内側まで配管すると共に、建物の不同沈下に対応して防水シートに水を注入し、建物の不同沈下を修正したため、従来のように、不同沈下した基礎の直近に鋼管杭を支持層まで打ち込み、上部をコンクリートで固めた上にジャッキを据付け、建物のジャッキアップを行うと云うようなアンダーピニング工法が不要となると共に、工期の短縮につながり、大幅にコストの低減を図ることができる。【００１７】  請求項３に記載の発明によれば、非透水層の地盤において、地下室のスラブ下部の複数箇所に砂場を設け、送水管をその砂場の内部まで配管すると共に、建物の不同沈下に対応して非透水層に囲まれた砂場に水を注入し、建物の不同沈下を修正したため、従来のように、不同沈下した基礎の直近に鋼管杭を支持層まで打ち込み、上部をコンクリートで固めた上にジャッキを据付け、建物のジャッキアップを行うと云うようなアンダーピニング工法が不要となると共に、工期の短縮につながり、大幅にコストの低減を図ることができる。【００１８】
2008008127.tif 000005
建物の四面に均等に力を加えることが可能となり、建物が不同沈下した際、不同沈下した場所を効率よく修正することが可能となる。【００１９】  請求項５に記載の発明によれば、耐圧基礎の下部の複数筒所に水の注入口が設けられた中空状のマットを敷くと共に、送水管を注入口まで配管し、建物の不同沈下に対応してマットに水を注入し、建物の不同沈下を修正したため、従来のように、不同沈下した基礎の直近に鋼管杭を支持層まで打ち込み、上部をコンクリートで固めた上にジャッキを据付け、建物のジャッキアップを行うと云うようなアンダーピニング工法が不要となると共に、工期の短縮につながり、大幅にコストの低減を図ることができる。【００２０】
2008008127.tif 000006
物の四面に均等に力を加えることが可能となり、建物が不同沈下した際、不同沈下した場所を効率よく修正することが可能となる。【００２１】  請求項７に記載の発明によれば、マットの内部に砂を詰めたため、捨てコンクリートとスラブに含まれる砕石が直接ぶつかり合うことがなくなり、マットの性能を長期間にわたって安定させる。
【実施例１】
【００２２】  以下、この発明の実施の形態１について説明する。
［発明の実施の形態１］【００２３】  図１及至図３には、この発明の実施の形態１を示す。【００２４】  図１ａは建物１と地下室３の断面図である。地下室３を構築するためには、地表面２を地下室３を造作するために必要な所定の深さまで掘下げると共に、掘下げた底部に砕石９を入れ、その砕石９を転圧し、その上部に捨てコンクリート８を打ち込み固め、さらに捨てコンクリート８の上に、捨てコンクリート８とスラブ６とが一体にならないように、ビニールシート４を敷いたのちマット７を載せ、その上部にスラブ６を構築する。【００２５】  そして、建物１が不同沈下をおこした場合、図２に示すように、不同沈下した場所のマット７ａ、マット７ｂ、マット７ｃ、マット７ｄの何れかの送水管５ａ、送水管５ｂ、送水管５ｃ、送水管５ｄより水を注入し、水の圧力により建物の不同沈下を修正する。【００２６】  マット７は中が中空状で密封された状態で構成され、マット７の中に水を注入することにより、水の圧力にて建物の不同沈下を修正する。【００２７】  さらに、図３ｂに示すように、中が中空状で密封された状態のマット７の中に砂１０を入れておくことにより、捨てコンクリート８とスラブ６に含まれる砕石が直接ぶつかり合うことがなくなり、マット７の性能を長期間にわたって安定させる。
【実施例２】
【００２８】  以下、この発明の実施の形態２について説明する。
［発明の実施の形態２］【００２９】  図４と図５は、この発明の実施の形態２を示す。上記発明の実態の形態１ではマット７が中空状で密封された状態に構成されていたのに対して、この発明の実施の形態２では、図５ｂのように防水シート１１を凹状に構成し、その内側を砂１０で満たすと共に、防水シート１１の凹部上端１１ｅをスラブ６に埋設し、建物１が不同沈下をおこした場合、図４に示すように不同沈下した場所の防水シート１１ａ、防水シート１１ｂ、防水シート１１ｃ、防水シート１１ｄの何れかの送水管１２ａ、送水管１２ｂ、送水管１２ｃ、送水管１２ｄ、より水を注入し、水の圧力により建物の不同沈下を修正する。その他の工法は、この発明の実施の形態１と同様である。
【実施例３】
【００３０】  以下、この発明の実施の形態３について説明する。
［発明の実施の形態３］【００３１】  図６及び図７は、この発明の実施の形態３を示す。上記発明の実態の形態２では防水シート１１を凹状に構成し、その内側を砂１０で満たされた状態に構成されていたのに対して、この発明の実施の形態３では、地下室の周囲の土地が非透水層の地盤のため、防水シート１１が不要となる。その他の工法は、この発明の実施の形態２と同様である。
【実施例４】
【００３２】  以下、この発明の実施の形態４について説明する。
［発明の実施の形態４］【００３３】  図８は、この発明の実施の形態４を示す。上記発明の実態の形態１及至７では地下室のスラブに対応して不同沈下修正工法を述べてきたのに対して、この発明の実施の形態４では、耐圧基礎に対応して不同沈下修正工法を説明する。【００３４】  建物の耐圧基礎１８を構築するためには、地表面１４を耐圧基礎１８を構築するために必要な所定の深さまで掘下げると共に、掘下げた底部に砕石１５を入れ、その砕石１５を転圧し、その上部に捨てコンクリート１６を打ち込み固め、さらに捨てコンクリート１６と耐圧基礎１８コンクリートとが一体にならないように、ビニールシート１７を敷いたのち砂１９を詰めたマット２０を載せ、その上部に耐圧基礎１８を構築する。【００３５】  このように構成したマット２０に送水管２１に設けられたパイプ継手２２より水を注入することにより、マット１９が膨れ、水の圧力にて建物の不同沈下を修正する。なお、送水管２１に高水圧をかけてマット２０に水を圧送するか、もしくは送水管２１の送水口を地表より高い位置に設けて高低差をつけて水圧によりマット２０に水を圧送することが望ましい。その他の工法は、この発明の実施の形態１と同様である。【００３６】  以上、実施の形態に基づいて、本発明に係る浮力を利用した地下不同沈下修正工法について詳細に説明してきたが、本発明は、以上の実施の形態に限定されるものではなく、発明の趣旨を逸脱しない範囲において各種の改変をなしても、本発明の技術的範囲に属するのはもちろんである。【００３７】  さらに、図１ｂに記載のマット７はマットに限定せず、弾力性のある材料で構成された、例えば、ゴム風船のような構造でも可能である。【００３８】  また、図３ｂ、図５ｂ、図６に表示される砂１０は、砂に限定せず、極小砕石等の細かい材料でも可能である。【００３９】  なお、図３ｂに砂１０を用いたが、砂１０以外の材料で、水を吸収すると膨張する性質のある、例えば、ゲル等を用いる事も可能である。【００４０】  また、図１ｂにおいて、捨てコンクリート８とスラブ６の間にビニールシート４を設けたが、ビニールシート４に限定せず、捨てコンクリート８とスラブ６とが接着しない材料であれば、例えば、スタイルフォーム等の材料を用いる事も可能である。【００４１】  図１及至図７において、地下室のスラブに対応して不同沈下修正工法を述べてきたが、この工法は図８における耐圧基礎の場合においても、同様に対応できる。
【図面の簡単な説明】
【００４２】
【図１】この発明の実施の形態１に係る建物と地下室の断面図である。
【図２】同実施の形態１に係る地下室のスラブ下部のマットの平面図である。
【図３】同実施の形態１に係るマットの平面図と断面図である。
【図４】この発明の実施の形態２に係る地下室のスラブ下部の防水シートの平面図である。
【図５】同実施の形態２に係る防水シートの平面図と断面図である。
【図６】この発明の実施の形態３に係る地下室の断面図である。
【図７】同実施の形態３に係る地下室の断面図である。
【図８】この発明の実施の形態４に係る建物と耐圧基礎の断面図である。
【図９】同実施の形態４に係るマットの平面図と断面図である。
【符号の説明】
【００４３】１                  建物
２                  地表面
３                  地下室
４                  ビニールシート
５                  送水管
６                  スラブ
７                  マット
８                  捨てコンクリート
９                  砕石
１０                砂
１１                防水シート
１２                送水管
１３                建物
１４                地表面
１５                砕石
１６                捨てコンクリート
１７                ビニールシート
１８                耐圧基礎
１９                砂
２０                マット
２１                送水管
２２                パイプ継手
【図１】
2008008127.tif 000009
【図２】
2008008127.tif 000010
【図３】
2008008127.tif 000011
【図４】
2008008127.tif 000012
【図５】
2008008127.tif 000013
【図６】
2008008127.tif 000014
【図７】
2008008127.tif 000015
【図８】
2008008127.tif 000016
【図９】
2008008127.tif 000017